(57)【要約】【課題】仕分け処理を短縮することができる帳票仕分け処理装置を提供する。【解決手段】イメージデータの読取りが終了した帳票は、三段目の一時保留部１６（ＲＣ３）に搬送されて、保留される。三段目の一時保留部１６（ＲＣ３）に所定枚数分の帳票が保留されると、仕分け制御部２０は、排出指令の入力待ち状態となる。ただし、イメージデータの読取りが終了した後続の帳票は、二段目の一時保留部１６（ＲＣ２）に搬送されて保留される。仕分け制御部２０に排出指令が入力されると、三段目の一時保留部１６（ＲＣ３）に保留された帳票の排出が開始される。三段目の一時保留部１６（ＲＣ３）に保留されている帳票のうち、収納すべきポケット１８が存在する帳票は、そのポケット１８に搬送されて収納される。一方、収納すべきポケット１８が存在しない帳票は、四段目の一時保留部１６（ＲＣ４）に搬送されて、保留される。【選択図】図１
2012056719.tif 000002
【特許請求の範囲】
【請求項１】
帳票に記載されたデータを読み取り、読み取ったデータに基づいて前記帳票を仕分ける帳票仕分け装置であって、
前記帳票を搬送するための搬送路と、
前記搬送路上に設けられ、前記帳票に記載されたデータを読取る読取手段と、
前記搬送路に沿って設けられ、前記読取手段によってデータが読み取られた帳票が一時的に保留される複数の一時保留手段と、
前記一時保留手段に保留された帳票が、前記搬送路を介して仕分け収納される複数の収納手段と、
前記読取手段によってデータが読み取られた帳票を、前記複数の一時保留手段のうちの１つの第１の一時保留手段に保留させ、所定枚数分の帳票が前記第１の一時保留手段に保留された後に、前記第１の一時保留手段に保留された帳票を排出させるとともに、前記読取手段によってデータが読み取られた後続の帳票を、前記第１の一時保留手段とは異なる第２の一時保留手段に保留させる制御手段とを含む、帳票仕分け装置である。
【請求項２】
前記第１の一時保留手段の下流側には少なくとも１つの一時保留手段が存在しており、
前記制御手段は、所定枚数分の帳票が前記第１の一時保留手段に保留された後に、前記第１の一時保留手段に保留された帳票を排出して前記収納手段に仕分け収納するとともに、仕分け先の収納手段が存在しない帳票を、前記第１の一時保留手段より下流側にある第３の一時保留手段に保留させる手段を含む、請求項１に記載の帳票仕分け装置。
【請求項３】
前記第１の一時保留手段の下流側には少なくとも１つの一時保留手段が存在しており、
前記制御手段は、所定枚数分の帳票が前記第１の一時保留手段に保留された後に、前記第１の一時保留手段に保留されている全ての帳票を、前記第１の一時保留手段より下流側にある第３の一時保留手段に保留させた後、前記第３の一時保留手段から排出して前記収納手段に仕分け収納する手段を含む、請求項１に記載の帳票仕分け装置。
【請求項４】
前記第１の一時保留手段の下流側には少なくとも１つの一時保留手段が存在しており、
前記制御手段は、所定枚数分の帳票が前記第１の一時保留手段に保留された後に、前記第１の一時保留手段に保留されている全ての帳票を、前記第１の一時保留手段より下流側にある第３の一時保留手段に保留させた後、前記第３の一時保留手段から排出して前記収納手段に仕分け収納するとともに、仕分け先の収納手段が存在しない帳票を前記第１の一時保留手段に保留させる手段と、
前記第３の一時保留手段内の帳票が全て排出された後に、前記第１の一時保留手段に保留されている仕分け先の収納手段が存在しない帳票を、前記第３の一時保留手段に保留させる手段を含む、請求項１に記載の帳票仕分け装置。
【請求項５】
前記第１の一時保留手段の下流側には少なくとも２つの一時保留手段が存在しており、
前記制御手段は、所定枚数分の帳票が前記第１の一時保留手段に保留された後に、前記第１の一時保留手段に保留されている全ての帳票を、前記第１の一時保留手段より下流側にある一時保留手段であって、その一時保留手段より下流側に少なくとも１つの一時保留手段が存在する第３の一時保留手段に保留させた後、前記第３の一時保留手段から排出して前記収納手段に仕分け収納するとともに、仕分け先の収納手段が存在しない帳票を、前記第３の一時保留手段より下流側にある第４の一時保留手段に保留させる手段を含む、請求項１に記載の帳票仕分け装置。
【請求項６】
前記第２の一時保留手段は前記第１の一時保留手段より上流側に存在している、請求項１〜５のいずれか一項に記載の帳票仕分け装置。
【請求項７】
前記搬送路は、その中間部に並列に配置された複数の分流経路を含んでおり、
前記各一時保留手段は、複数の分流経路のうちのいずれかの分流経路に接続されており、
前記第２の一時保留手段は、前記第１の一時保留手段が接続されている分流経路と異なる分流経路に接続されている、請求項１〜５のいずれか一項に記載の帳票仕分け装置。
【発明の詳細な説明】
【技術分野】
【０００１】
この発明は、銀行などの金融機関等において使用される帳票仕分け処理装置に関する。
【背景技術】
【０００２】
銀行などの金融機関においては、公共料金を納付するための帳票や、国税、社会保険料等の歳入金を納付するための帳票等、多くの書類の帳票が大量に処理される。これらの帳票の仕分けを自動的に行う帳票仕分け処理装置が開発されている。
下記特許文献１には、帳票のイメージを読み取り、読み取ったイメージから帳票種別を判別し、判別された帳票種別に応じて、帳票を仕分けする帳票仕分け処理装置が記載されている。この従来の帳票仕分け処理装置では、ホッパに載置された帳票が一枚ずつ繰り出されて、そのイメージが読み取られる。イメージが読み取られた帳票は、装置内部に設けられた一時保留部に保留される。ホッパに載置された全ての帳票が一時保留部に保留された後に、一時保留部に保留されている帳票が、読み取られたイメージに基づいて、複数のポケットのうち、その帳票の種別に対応するポケットに排出される。
【先行技術文献】
【特許文献】
【０００３】
【特許文献１】特開２００６−１４３３６９号公報
【発明の概要】
【発明が解決しようとする課題】
【０００４】
前述した従来の帳票仕分け処理装置では、ホッパに載置された全ての帳票が一時保留部に保留された後に、帳票の排出動作が行われるので、仕分け処理に時間がかかるという問題がある。
この発明は、仕分け処理を短縮することができる帳票仕分け処理装置を提供することを目的とする。
【課題を解決するための手段】
【０００５】
請求項１に記載の発明は、帳票に記載されたデータを読み取り、読み取ったデータに基づいて前記帳票を仕分ける帳票仕分け装置であって、前記帳票を搬送するための搬送路と、前記搬送路上に設けられ、前記帳票に記載されたデータを読取る読取手段と、前記搬送路に沿って設けられ、前記読取手段によってデータが読み取られた帳票が一時的に保留される複数の一時保留手段と、前記一時保留手段に保留された帳票が、前記搬送路を介して仕分け収納される複数の収納手段と、前記読取手段によってデータが読み取られた帳票を、前記複数の一時保留手段のうちの１つの第１の一時保留手段に保留させ、所定枚数分の帳票が前記第１の一時保留手段に保留された後に、前記第１の一時保留手段に保留された帳票を排出させるとともに、前記読取手段によってデータが読み取られた後続の帳票を、前記第１の一時保留手段とは異なる第２の一時保留手段に保留させる制御手段とを含む、帳票仕分け装置である。
【０００６】
この構成では、第１の一時保留手段に保留された帳票を排出させながら、後続の帳票を第２の一時保留手段に保留させることができるので、帳票仕分け処理時間を短縮することができる。
請求項２記載の発明は、前記第１の一時保留手段の下流側には少なくとも１つの一時保留手段が存在しており、前記制御手段は、所定枚数分の帳票が前記第１の一時保留手段に保留された後に、前記第１の一時保留手段に保留された帳票を排出して前記収納手段に仕分け収納するとともに、仕分け先の収納手段が存在しない帳票を、前記第１の一時保留手段より下流側にある第３の一時保留手段に保留させる手段を含む、請求項１に記載の帳票仕分け装置である。
【０００７】
この構成では、第１の一時保留手段に保留された帳票を排出して前記収納手段に仕分け収納する際において、仕分け先の収納手段が存在しない帳票を第１の一時保留手段より下流側にある第３の一時保留手段に保留させることができる。このため、その後において、第３の一時保留手段に保留されている仕分け先の収納手段が存在しない帳票を、前記収納手段に仕分け収納することが可能となる。
【０００８】
請求項３記載の発明は、前記第１の一時保留手段の下流側には少なくとも１つの一時保留手段が存在しており、前記制御手段は、所定枚数分の帳票が前記第１の一時保留手段に保留された後に、前記第１の一時保留手段に保留されている全ての帳票を、前記第１の一時保留手段より下流側にある第３の一時保留手段に保留させた後、前記第３の一時保留手段から排出して前記収納手段に仕分け収納する手段を含む、請求項１に記載の帳票仕分け装置である。
【０００９】
この構成では、読取手段によってデータが読み取られた帳票は、一時保留手段に保留された後、さらに他の一時保留手段に保留されてから、収納手段に仕分け収納される。つまり、読取手段によってデータが読み取られた帳票は、２回の一時保留動作を経て、収納手段に仕分け収納される。これにより、収納手段に仕分け収納される帳票の順番を、読取手段によってデータが読み取られた順番に揃えることができる。
【００１０】
請求項４記載の発明は、前記第１の一時保留手段の下流側には少なくとも１つの一時保留手段が存在しており、前記制御手段は、所定枚数分の帳票が前記第１の一時保留手段に保留された後に、前記第１の一時保留手段に保留されている全ての帳票を、前記第１の一時保留手段より下流側にある第３の一時保留手段に保留させた後、前記第３の一時保留手段から排出して前記収納手段に仕分け収納するとともに、仕分け先の収納手段が存在しない帳票を前記第１の一時保留手段に保留させる手段と、前記第３の一時保留手段内の帳票が全て排出された後に、前記第１の一時保留手段に保留されている仕分け先の収納手段が存在しない帳票を、前記第３の一時保留手段に保留させる手段を含む、請求項１に記載の帳票仕分け装置である。
【００１１】
この構成では、読取手段によってデータが読み取られかつ仕分け先の収納手段が存在する帳票は、２回の一時保留動作を経て、収納手段に仕分け収納される。これにより、収納手段に仕分け収納される帳票の順番を、読取手段によってデータが読み取られた順番に揃えることができる。
また、この構成では、仕分け先の収納手段が存在しない帳票を、４回の一時保留動作を経て、収納手段に仕分け収納することが可能となる。これにより、仕分け先の収納手段が存在しない帳票についても、収納手段に仕分け収納される帳票の順番を、読取手段によってデータが読み取られた順番に揃えることが可能となる。
【００１２】
請求項５記載の発明は、前記第１の一時保留手段の下流側には少なくとも２つの一時保留手段が存在しており、前記制御手段は、所定枚数分の帳票が前記第１の一時保留手段に保留された後に、前記第１の一時保留手段に保留されている全ての帳票を、前記第１の一時保留手段より下流側にある一時保留手段であって、その一時保留手段より下流側に少なくとも１つの一時保留手段が存在する第３の一時保留手段に保留させた後、前記第３の一時保留手段から排出して前記収納手段に仕分け収納するとともに、仕分け先の収納手段が存在しない帳票を、前記第３の一時保留手段より下流側にある第４の一時保留手段に保留させる手段を含む、請求項１に記載の帳票仕分け装置である。
【００１３】
この構成では、読取手段によってデータが読み取られかつ仕分け先の収納手段が存在する帳票は、２回の一時保留動作を経て、収納手段に仕分け収納される。これにより、収納手段に仕分け収納される帳票の順番を、読取手段によってデータが読み取られた順番に揃えることができる。
また、この構成では、仕分け先の収納手段が存在しない帳票を、第４の一時保留手段に保留させることができる。第２の一時保留手段に保留された帳票に対しても、第１の一時保留手段に保留された帳票と同様な搬送制御を行なうことにより、仕分け先の収納手段が存在しない帳票を、第４の一時保留手段に保留させることが可能である。つまり、第１および第２の一時保留手段に保留された帳票それぞれに含まれる、仕分け先の収納手段が存在しない帳票を、同じ一時保留手段（第４の一時保留手段）に保留させることが可能となる。これにより、仕分け先の収納手段が存在しない帳票を、仕分け収納するための制御が簡単となる。
【００１４】
請求項６記載の発明は、前記第２の一時保留手段は前記第１の一時保留手段より上流側に存在している、請求項１〜５のいずれか一項に記載の帳票仕分け装置である。これにより、第１の一時保留手段に保留された帳票を下流側に排出させながら、後続の帳票を第２の一時保留手段に保留させることができる。
請求項７記載の発明は、前記搬送路は、その中間部に並列に配置された複数の分流経路を含んでおり、前記各一時保留手段は、複数の分流経路のうちのいずれかの分流経路に接続されており、前記第２の一時保留手段は、前記第１の一時保留手段が接続されている分流経路と異なる分流経路に接続されている、請求項１〜５のいずれか一項に記載の帳票仕分け装置である。この構成では、請求項１〜５と同様な効果が得られる。
【発明の効果】
【００１５】
この発明によれば、仕分け処理を短縮することができる。
【図面の簡単な説明】
【００１６】
【図１】この発明の一実施形態に係る帳票仕分け処理装置を含む帳票仕分けシステムの概略的な構成を示す概略構成図である。
【図２】帳票の表面に記載された情報を示す模式図である。
【図３】一時保留部１６の概略的な構成を示す概略構成図である。
【図４】公金入力画面の一例を示す模式図である。
【図５】帳票仕分け処理装置２による帳票の一時保留・排出動作を説明するための模式図である。
【図６】公金入力画面の一例を示す模式図である。
【図７】確認・修正画面の一例を示す模式図である。
【図８】帳票仕分け処理装置２による帳票の一時保留・排出動作の第１変形例を説明するための模式図である。
【図９】帳票仕分け処理装置２による帳票の一時保留・排出動作の第２変形例を説明するための模式図である。
【図１０】図１０Ａは、一回の一時保留動作を経て帳票が排出される場合の帳票の排出順序を説明するための模式図であり、図１０Ｂは、二回の一時保留動作を経て帳票が排出される場合の帳票の排出順序を説明するための模式図である。
【図１１】帳票仕分け処理装置２による帳票の一時保留・排出動作の第３変形例を説明するための模式図である。
【図１２】比較例を説明するための模式図である。
【図１３】帳票仕分け処理装置の変形例を示す概略構成図である。
【図１４】帳票仕分け処理装置２Ａによる帳票の一時保留・排出動作を説明するための模式図である。
【図１５】帳票仕分け処理装置２Ａによる帳票の一時保留・排出動作の第１変形例を説明するための模式図である。
【図１６】帳票仕分け処理装置２Ａによる帳票の一時保留・排出動作の第２変形例を説明するための模式図である。
【発明を実施するための形態】
【００１７】
以下、図面を参照して、この発明の実施の形態について説明する。
図１は、この発明の一実施形態に係る帳票仕分け処理装置を含む帳票仕分けシステムの概略的な構成を示す概略構成図である。
帳票仕分けシステム１は、帳票仕分け処理装置２と外部制御装置３とを備えている。図１においては、帳票仕分け処理装置２を左側面側から見た概略構成図が示されており、図１の右側が帳票仕分け処理装置２の正面である。
【００１８】
帳票仕分け処理装置２は、左側面側から見て略Ｌ形の装置本体１０を備えている。装置本体１０は、その正面の下部に前方張出部を有している。この前方張出部の上面には、ホッパ１１が設けられている。装置本体１０の正面における前方張出部上方の垂直面には、複数のポケット１８が設けられている。装置本体１０内には、ホッパ１１に載置された帳票を１枚ずつ繰り出すための繰出ローラ１２と、繰出ローラ１２によって繰り出された帳票を、ポケット１８側に搬送するための主搬送路１３が設けられている。主搬送路１３は、繰出ローラ１２から後方に向かって延びた下側水平部と、下側水平部の後端から上方に向かって延びた後側垂直部と、後側垂直部の上端から前方に向かって延びた上側水平部と、上側水平部の前端から下方に向かって延びた前側垂直部とを含む。
【００１９】
主搬送路１３の下側水平部の近くには、エンドーサ１４と帳票データ読取部１５とが配置されている。帳票データ読取部１５はエンドーサ１４の下流側に配置されている。主搬送路１３の後側垂直部と前側垂直部との間には、上下方向に間隔をおいて複数の一時保留部１６が配置されている。この実施形態では、４つの一時保留部１６が設けられている。４つの一時保留部１６を、下から順に一段目、二段目、三段目、四段目の一時保留部１６という場合がある。また、一段目、二段目、三段目、四段目の一時保留部１６を、それぞれ、ＲＣ１、ＲＣ２、ＲＣ３、ＲＣ４と表す場合がある。
【００２０】
主搬送路１３の後側垂直部と各一時保留部１６との間には、主搬送路１３と各一時保留部１６との間で帳票を搬送するための分岐搬送路１３Ａが設けられている。図示しないが、主搬送路１３と各分岐搬送路１３Ａとの間には、帳票の進路を切り換えるための分岐爪等の進路切換手段が設けられている。
また、主搬送路１３の前側垂直部と各ポケット１８との間には、主搬送路１３によって搬送されてきた帳票を各ポケット１８に搬送するための分岐搬送路１３Ｂが設けられている。各分岐搬送路１３Ｂのポケット側には、排出ローラ１７が設けられている。図示しないが、主搬送路１３と各分岐搬送路１３Ｂとの間には、帳票の進路を切り換えるための分岐爪等の進路切換手段が設けられている。主搬送路１３と分岐搬送路１３Ａ，１３Ｂとによって搬送路が構成されている。
【００２１】
帳票仕分け処理装置２内には、仕分け制御部２０が設けられている。仕分け制御部２０は、たとえば、ＣＰＵ、ＲＯＭ、ＲＡＭ等を含むマイクロコンピュータからなる。仕分け制御部２０には、エンドーサ１４および帳票データ読取部１５が接続されている。また、仕分け制御部２０には、一時保留部１６、繰出ローラ１２、排出ローラ１７、進路切換手段、搬送路に沿って帳票を搬送させるための図示しない搬送装置等を駆動するための駆動手段が接続されている。
【００２２】
ホッパ１１には複数の帳票が載置される。この実施形態では、複数の帳票は、帳票データの印刷面（表面）が上を向くように重ねられた状態で、ホッパ１１に載置されるものとする。また、この実施形態では、ホッパ１１に載置された帳票は、繰り出しローラ１２によって、上のものから順に一枚ずつ繰り出されて、装置本体１０内に取り込まれるものとする。装置本体１０内に取り込まれた帳票は、搬送路１３，１３Ａ，１３Ｂによって搬送される。
【００２３】
エンドーサ１４は、装置本体１０に取り込まれた帳票に管理通番を印刷する。この管理通番は、後述する帳票データと帳票とを対応付けるための管理番号である。この管理通番を用いることにより、帳票からそれに対応する帳票データを特定することができるとともに、帳票データからそれに対応する帳票を特定することができる。
帳票データ読取部１５は、イメージスキャナなどの光学的文字読み取り機能を有し、帳票の表面に記載された情報をイメージデータ（画像データ）として読み込んで装置内に取り込む。帳票データ読取部１５は、たとえば、図２に示すように帳票の表面に記載された情報を光学的に読み取って、イメージデータを生成する。帳票データ読取部１５によって読み取られたイメージデータは記憶部３５に記憶される。なお、帳票データ読取部１５は、帳票の表面と裏面の両面の情報を読み込む機能を備えたものであってもよい。一時保留部１６は、帳票データ読取部１５によって情報が読み取られた帳票を、装置本体外に排出するまで一時的に保留するためのものである。
【００２４】
図３は、一時保留部１６の概略的な構成を示す概略構成図である。
一時保留部１６としては、この実施形態では、特開平８−６７３８２号公報に開示された紙幣収納繰り出し装置と同様な構造のものが用いられている。つまり、一時保留部１６は、２本のテープＴＡ，ＴＢの間に帳票を挟んだ状態で帳票を保留する。テープＴＡ，ＴＢの幅は、帳票の幅の１／３程度である。
【００２５】
一時保留部１６は、カセットタイプであり、直方体形状のケース４０を備えている。ケース４０の後面の上方位置に横長スリット状の帳票出入口４１が形成されている。ケース４０内には、帳票出入口４１の内側に、第１および第２のローラ４２，４３が上下方向に間隔をおいて設けられている。これらのローラ４２，４３は、図示しない回転軸を中心に回転するローラである。また、ケース４０内には、ドラム４４と、第１および第２のリール４５，４６と、第１および第２のアイドルプーリ４７，４８が設けられている。
【００２６】
ドラム４４は、ケース４０内のほぼ中央に配置されている。ドラム４４は、ドラム４４を回転させるためのドラムシャフト４４Ａに取り付けられている。第１のリール４５は、ケース４０内の前側上部に配置されている。第１のリール４５は、リール４５を回転させるためのリールシャフト４５Ａにトルクリミッタ４５Ｂを介して取り付けられている。第２のリール４６は、ケース４０内の後側下部に配置されている。第２のリール４６は、リール４６を回転させるためのリールシャフト４６Ａにトルクリミッタ４６Ｂを介して取り付けられている。各リールシャフト４５Ａ，４６Ａは、図示しないワンウェイクラッチにより、反時計方向（図３においてリール４５，４６上に示される方向）への回転が禁止され、時計方向にのみ回転可能となっている。
【００２７】
第１のアイドルプーリ４７は、第１のローラ４２と第１のリール４５との間において、第１のリール４５よりの位置に配置されている。第２のアイドルプーリ４８は、第２のローラ４３と第２のリール４６との間において、第２のリール４６よりの位置に配置されている。
２本のテープＴＡ、ＴＢの一端は、ドラム４４に固定されている。一方のテープＴＡの他端は、第１のリール４５に固定されている。他方のテープＴＢの他端は、第２のリール４６に固定されている。ドラム４４には、２本のテープＴＡ、ＴＢの一端側が上下に重ね合わされた状態で巻き付けられている。上側のテープＴＡの他端側は、第１のローラ４２および第１のアイドルプーリ４７を経て第１のリール４５に巻き付けられている。下側のテープＴＢの他端側は、下側のプーリ４３およびアイドルプーリ４８を経て第２のリール４６に巻き付けられている。
【００２８】
ドラム４４の周囲には、ドラム４４に巻き付けられている帳票を検知するための第１の帳票検知センサＳ１がドラム４４を挟む配置で設けられている。第１の帳票検知センサＳ１の出力に基づいて、ドラム４４に帳票が巻き付けられているか否かを判別することが可能となる。また、ケース４０内には、ドラム４４に巻き付けられる帳票またはドラム４４から繰り出される帳票を検知するための第２の帳票検知センサＳ２が、ローラ対４２，４３とドラム４４との間のテープ経路を挟む配置で設けられている。第２の帳票検知センサＳ２の出力に基づいて、ドラム４４に巻き取られる帳票やドラム４４から排出される帳票の枚数を計数することが可能となる。
【００２９】
さらに、ケース４０内には、テープＴＡにおける第１のリール４５に固定されている端部（以下、テープＴＡの終端部という）を検知するためのテープ終端検知センサＳ３が、ローラ対４２，４３と第１のアイドルプーリ４７との間のテープ経路を挟む配置で設けられている。テープ終端検知センサＳ３は、ドラム４４への帳票の巻き取り動作中に、テープＴＡの終端部がテープ終端検知センサＳ３によって検知されたときに、巻き取り動作を強制的に停止することにより、テープＴＡ，ＴＢの破損等を防止するために設けられている。
【００３０】
また、ケース４０の帳票出入口４１の外側には、主搬送路１３と一時保留部１６との間で帳票を搬送するための分岐搬送路１３Ａが設けられている。分岐搬送路１３Ａは、たとえば、搬送装置５０によって形成されている。この搬送装置５０は、たとえば上下一対のベルトまたはローラ列により構成することができる。
一時保留部１６に帳票を保留する場合は、図示しない駆動手段によりドラムシャフト４４Ａを図３に矢印で示す方向（時計方向）に回転させる。これにより、ドラム４４が時計方向に回転し、テープＴＡ，ＴＢがドラム４４に巻き取られる。これにより、搬送装置５０によって搬送されてきた帳票が、帳票出入口４１を通って２つのローラ４２，４３の間を通過する。ローラ４２，４３間を通過した帳票は、テープＴＡ，ＴＢに挟まれて搬送され、テープＴＡ，ＴＢに挟まれた状態でドラム４４に巻き付けられる。この際、ドラムシャフト４４Ａの回転速度は、テープＴＡ，ＴＢの巻取り速度が搬送装置５０の搬送速度より大きくなるように設定される。
【００３１】
ドラム４４によってテープＴＡ，ＴＢを巻取る際、各リール４５，４６はテープＴＡ，ＴＢの引張り作用により反時計方向に回転しようとするが、図示しないワンウェイクラッチによって各リールシャフト４５Ａ，４６Ａは反時計方向には回転しないため、テープＴＡ、ＴＢにテンションが発生する。そして、このテンションが所定以上になるとトルクリミッタ４５Ｂ，４６Ｂに所定以上のトルクがかかり、各リール４５，４６が反時計方向に回転するようになる。その結果、テープＴＡ、ＴＢには常にトルクリミッタの設定トルクに応じたテンションが付与されることになる。
【００３２】
このようにして、ドラム４４に所定枚数分の帳票が巻き付けられると、駆動手段が停止される。なお、ドラム４４に巻き付けられた帳票の枚数は、第２の帳票検知センサＳ２の出力信号に基づいて計数される。
ドラム４４に巻き付けられている帳票を排出する場合は、図示しない駆動手段によって、ドラムシャフト４４Ａを反時計方向に回転させるとともに各リール４５，４６を時計方向に回転させる。これにより、ドラム４４が反時計方向に回転し、テープＴＡ、ＴＢが巻戻される。この際、各リールシャフト４５Ａ，４６Ａの回転速度は、ドラム４４によるテープ巻戻し速度に比べて、各リール４５，４６によるテープ巻取り速度が速くなるように設定される。これにより、テープＴＡ、ＴＢにテンションが付与される。テープＴＡ、ＴＢに付与されるテンションが所定以上になるとトルクリミッタ４５Ｂ，４６Ｂに所定以上のトルクがかかり、滑りを生じることになる。その結果、テープＴＡ、ＴＢには常にトルクリミッタ４５Ｂ，４６Ｂの設定トルクに応じたテンションが付与されることになる。
【００３３】
テープＴＡ、ＴＢがドラム４４から巻戻されることにより、テープＴＡ、ＴＢに挟まれた帳票Ｐが帳票出入口４１から排出され、搬送装置５０へ受け渡される。そして、所定枚数分またはドラム４４に巻き取られている全ての帳票が搬送装置５０へ受け渡されると駆動手段が停止される。ドラム４４から排出される帳票の枚数は、第２の帳票検知センサＳ２の出力信号に基づいて計数される。また、ドラム４４に巻き付けられている全ての帳票が排出されたことは、第１の帳票検知センサＳ１の出力信号に基づいて検出できる。帳票排出時には、テープＴＡ，ＴＢの巻戻し速度よりも搬送装置５０の搬送速度が大きくされる。
【００３４】
図１に戻り、外部制御装置３は、たとえば、パーソナルコンピュータからなる。外部制御装置３は、制御部３１と表示部３２と操作部３３とを備えている。制御部３１は、認識部３４と、記憶部３５と、修正部３６を含んでいる。制御部３１は、仕分け制御部２０に接続されている。
認識部３４は、たとえばＯＣＲ（Optical Character Reader）などのように文字認識機能を有している。認識部３４は、帳票データ読取部１５によって読み取られたイメージデータから文字を認識して文書データに変換するものである。また、認識部３４は、認識データに基づいて、帳票の種別を判別する。
【００３５】
記憶部３５には、帳票データ読取部１５によって読み取られた帳票のイメージデータ、認識部３４によって得られた文書データ（以下、「認識データ」という）、帳票の識別データ、管理番号等が記憶される。帳票のイメージデータ、認識データおよび帳票の識別データを総称して帳票データという場合がある。
修正部３６は、記憶部３５に記憶されている認識データを、ユーザに確認または修正させるための手段である。ユーザは、認識データの確認・修正を行う場合には、対象となる帳票のイメージデータと認識データとを表示部３２に表示させ、これらを目視で比較することで認識データの正当性の確認を行う。そして、認識間違い等がある場合には、ユーザは、操作部３３を操作することにより認識データの修正を行う。
【００３６】
表示部３２には、操作画面や、帳票データ読取部１５によって読み取られたイメージデータ、認識部３４によって認識された認識データなどが表示される。
帳票仕分け処理装置２の仕分け制御部２０は、一時保留部１６、繰出ローラ１２、排出ローラ１７、進路切換手段等を駆動するための駆動手段を制御するとともに、エンドーサ１４および帳票データ読取部１５を制御する。また、仕分け制御部２０は、外部制御装置３の制御部３１と通信を行う。
【００３７】
仕分け制御部２０は、帳票データ読取部１５によって情報が読み取られた帳票を所定の一時保留部１６へ保留する。また、仕分け制御部２０は、一時保留部１６へ保留した帳票を所定のポケット１８に仕分け収納したり、他の一時保留部１６へ保留したりする。
仕分け制御部２０は、帳票を各ポケット１８に仕分け収納するために必要なポケットデータを保持している。ポケットデータは、ポケット１８毎に設定されかつそのポケットに収納すべき帳票の種別を表すデータからなる。仕分け制御部２０は、認識部３４によって認識された帳票の種別とポケットデータとに基づいて、一時保留部１６に保留されている帳票を、その種別に対応したポケットに収納する。
【００３８】
次に、図１、図４〜図７を参照して、帳票仕分け処理システム１の動作について、公共料金の料金納付用の納付書（以下、単に帳票と呼ぶ。）を仕分け処理する場合を例にとって説明する。
ユーザ（以下、作業者と呼ぶ）は、外部制御装置３の操作部３３を用いて、画面表示部３２に公金入力メニュー（図示略）を表示させる。そして、公金入力メニューにおいて、新規に公金入力処理を行うための新規入力ボタンを選択する。これにより、図４に示されるような公金入力画面が表示される。公金入力画面は、認識データ表示欄１０１、選択データ表示欄１０２、各種ボタン等を含む。認識データ表示欄１０１には、認識データの内容が表示される。選択データ表示欄１０２には、認識データ表示欄１０１において、現在選択されている表示欄のデータが表示される。
【００３９】
各種ボタンは、帳票データ読取部１５によるデータの読取りを開始させるためのスキャン開始ボタン（Ｆ１）と、データ修正画面を選択するためのイメージ入力ボタン（Ｆ２）と、データを削除するための削除ボタン（Ｆ３）と、カーソルを移動させるためのカーソル移動ボタン（Ｆ４）と、一時保留部１６に保留した帳票を排出させるための排出ボタン（Ｆ５）と、ポケットデータ等を変更するためのポケット変更ボタン（Ｆ６）と、表示画面を公金入力メニューの画面に戻すための戻るボタン（Ｆ１２）を含んでいる。
【００４０】
図４に示される公金入力画面でスキャン開始ボタン（Ｆ１）を選択すると、帳票データ読取部１５が起動されるとともに繰出ローラ１２が駆動される。これにより、ホッパ１１に載置された帳票が１枚ずつ帳票仕分け処理装置２内に取り込まれる。
帳票仕分け処理装置２内に取り込まれた帳票は、搬送路１３に沿って搬送される。帳票がエンドーサ１４上を通過する際、帳票にはエンドーサ１４により所定の管理通番が印刷される。管理通番が印刷された帳票が帳票データ読取部１５まで搬送されると、帳票の表面に記載された情報が帳票データ読取部１５によってイメージデータとして読み取られる。帳票データ読取部１５によって読み取られたイメージデータは、仕分け制御部２０を介して外部制御装置３の記憶部３５に送られ、記憶部３５に記憶される。また、イメージデータの読み込み中の画面には、「スキャン中」というダイアログが表示される。
【００４１】
記憶部３５にイメージデータが記憶されると、認識部３４によって当該イメージデータから文字が認識されることにより、認識データが生成される。認識部３４によって生成された認識データは、記憶部３５に記憶される。また、認識部３４では、認識データに基づいて帳票の種別が判別される。
図４に示される公金入力画面の認識データ表示欄１０１には認識データの内容が表示される。また、認識データ表示欄１０１において、現在選択されている表示欄のデータが選択表示欄１０２に表示される。認識データ表示欄１０１においては、種別が判別されていない帳票のデータは赤色、金額が認識されていない帳票のデータは黄色のように、未確定項目のあるデータについては未確定項目に応じた色が付けられている。これにより、未確定項目のあるデータや未確定項目が一目でわかるようになっている。
【００４２】
図５は、帳票仕分け処理装置２による帳票の一時保留・排出動作を説明するための模式図である。後述するように、一時保留部１６に保留された帳票は、作業者によって排出指令が入力されることによって排出される。このため、実際には、一時保留部１６への帳票の一時保留動作と、当該一時保留部１６からの帳票の排出動作との間には時間間隔が存在するが、図５では、その時間間隔は省略されている。
【００４３】
また、説明の便宜上、ホッパ１１に載置された帳票を約半分に分けて、２つの一時保留部１６にほぼ半数ずつ一時保留させる場合の動作について説明する。
図５に示されるように、帳票データ読取部１５の起動後において、イメージデータの読取りが終了した帳票は、三段目の一時保留部１６（ＲＣ３）に搬送されて保留される。三段目の一時保留部１６（ＲＣ３）に所定枚数分（この例ではホッパ１１に載置された帳票のほぼ半数に相当）の帳票が保留されると、仕分け制御部２０は、排出指令の入力待ち状態となる。イメージデータの読取りが終了した後続の帳票は、三段目の一時保留部１６（ＲＣ３）より上流側の二段目の一時保留部１６（ＲＣ２）に搬送されて保留される。
【００４４】
図６に示されるように、表示部３２上の公金入力画面には、既に認識された認識データ等が表示される。作業者は、公金入力画面に基づいて、必要であれば確認・修正作業を行う。認識データの確認・修正を行なう場合には、作業者は、図６に示される公金入力画面上の認識データ表示欄１０１で修正したい認識データを選択し、イメージ入力ボタン（Ｆ２）を選択する。イメージ入力ボタン（Ｆ２）が選択されると、表示画面が図７に示される確認・修正画面に切り替わる。
【００４５】
確認・修正画面は、認識データ表示欄１０１と、イメージ画像を表示するイメージ表示欄１１１と、修正データを入力する認識データ確認・修正欄１１２を含んでいる。認識データ確認・修正欄１１２には、作業者によって選択された認識データが表示される。また、確認・修正画面は、確認・修正対象の帳票データを切り替えるための帳票データ切替えボタン（前の帳票データに切り換えるためのボタンと、後の帳票データに切り換えるためのボタンを含む）と、イメージ画像の移動等の操作に用いられる範囲選択開始ボタンと、ドラッグモードボタンと、回転（９０度）ボタンと、拡大／縮小ボタンおよび全画面表示ボタンと、確定ボタン（Ｆ１）と、戻るボタン（Ｆ１２）を含んでいる。
【００４６】
作業者は、この確認・修正画面上で、イメージ表示欄１１１と認識データ確認・修正欄１１２との表示を比較し、認識データが正当であるか否かを確認する。作業者は、認識データが正当であると確認した場合には、データを確定する確定ボタン（Ｆ１）を選択する。これにより、確認された当該認識データは、正式な認識データとして取り扱われる。
一方、認識データの間違いが認められた場合または認識されていない項目がある場合には、作業者は、認識データ確認・修正欄１１２の中の修正したい項目を選択し、修正データを直接入力し、最後に確定ボタン（Ｆ１）を選択する。これにより、修正後のデータ（修正データ）は記憶部３５に記憶され、この後は修正データが正式な認識データとして取り扱われる。
【００４７】
確認・修正作業が終了すると、作業者は、確認・修正画面上の戻る（Ｆ１２）ボタンを選択する。これにより、表示画面が、図６に示されるような公金入力画面に切り替わる。この後、作業者は、公金入力画面上の排出ボタン（Ｆ５）を選択する。排出ボタン（Ｆ５）が選択されると、仕分け制御部２０に排出指令が入力される。
なお、前述したような確認・修正画面上での確認・修正作業を全ての帳票に対して行なうことなく、図６に示される公金入力画面の内容のみに基づいて簡単な確認を行い、修正作業が必要な帳票のみを修正した後、排出ボタン（Ｆ５）を選択することも可能である。
【００４８】
図５に戻り、仕分け制御部２０に排出指令が入力されると、三段目の一時保留部１６（ＲＣ３）に保留された帳票の排出が開始される。三段目の一時保留部１６（ＲＣ３）に保留されている帳票のうち、収納すべきポケット１８が存在する帳票は、そのポケット１８に搬送されて収納される。一方、三段目の一時保留部１６（ＲＣ３）に保留されている帳票のうち、収納すべきポケット１８が存在しない帳票（行先無し帳票）は、三段目の一時保留部１６（ＲＣ３）より下流側の四段目の一時保留部１６（ＲＣ４）に搬送されて保留される。行先無し帳票は、たとえば、その帳票の種別が割り当てられているポケットが存在しない帳票である。
【００４９】
三段目の一時保留部１６（ＲＣ３）から帳票が排出されているときにおいて、帳票データ読取部１５によってイメージデータの読取りが終了した帳票は、三段目の一時保留部１６（ＲＣ３）より上流側の二段目の一時保留部１６（ＲＣ２）に搬送されて保留される。つまり、三段目の一時保留部１６（ＲＣ３）から帳票の排出動作と、二段目の一時保留部１６（ＲＣ２）への帳票の一時保留動作とが同時に行なわれる。このため、仕分け処理時間を短縮できる。
【００５０】
ホッパ１１に残っている帳票の全てが二段目の一時保留部１６（ＲＣ２）に保留されると、仕分け制御部２０は排出指令の入力待ち状態となる。そして、必要であれば、前述したような確認・修正作業が作業者によって行なわれる。その後、作業者によって公金入力画面上の排出ボタン（Ｆ５）が選択されることにより、仕分け制御部２０に排出指令が入力される。
【００５１】
排出指令が入力されると、二段目の一時保留部１６（ＲＣ２）に保留されている帳票のうち、収納すべきポケット１８が存在する帳票が、そのポケット１８に搬送されて収納される。一方、二段目の一時保留部１６（ＲＣ２）に保留されている帳票のうち、収納すべきポケット１８が存在しない帳票（行先無し帳票）は、二段目の一時保留部１６（ＲＣ２）より下流側の四段目の一時保留部１６（ＲＣ４）に搬送されて保留される。
【００５２】
二段目の一時保留部１６（ＲＣ２）に保留されている帳票が全て排出された後に、四段目の一時保留部１６（ＲＣ４）に保留されている行先無し帳票の仕分け処理（二次分類）が行われる。具体的には、まず、四段目の一時保留部１６（ＲＣ４）に保留されている帳票の種別が、いずれかのポケット１８に割り当てられるように、ポケットデータを変更する。そして、四段目の一時保留部１６（ＲＣ４）に保留されている帳票を、その帳票の種別に対応するポケット１８に収納する。
【００５３】
この実施形態では、三段目の一時保留部１６（ＲＣ３）および二段目の一時保留部１６（ＲＣ２）に保留された帳票それぞれに含まれる行先無し帳票を、同じ一時保留部（四段目の一時保留部１６（ＲＣ４））に保留させることが可能となる。これにより、行先無し帳票を、仕分け収納するための制御が簡単となる。
なお、ホッパ１１に載置された全帳票の種別が、ポケット１８のいずれかに割り当てられている場合には、行先無し帳票が発生しないこともある。そのような場合には、三段目の一時保留部（ＲＣ３）または二段目の一時保留部（ＲＣ２）に保留された帳票の全てがポケット１８に排出され、四段目の一時保留部（ＲＣ４）に行先無し帳票は保留されない。
【００５４】
図８は、帳票仕分け処理装置２による帳票の一時保留・排出動作の第１変形例を説明するための模式図である。前述したように、実際には、一時保留部１６への帳票の一時保留動作と、当該一時保留部１６からの帳票の排出動作との間には時間間隔が存在するが、図８では、その時間間隔は省略されている。
また、説明の便宜上、ホッパ１１に載置された帳票を約半分に分けて、２つの一時保留部１６にほぼ半数ずつ一時保留させる場合について説明する。
【００５５】
この変形例では、複数のポケット１８のうちの所定の１つのポケットが、行先無し帳票を収納する専用のポケット（以下、「行先無し専用ポケット１８」という）として用いられる。行先無し専用ポケット１８は予め設定されている。
帳票データ読取部１５の起動後において、イメージデータの読取りが終了した帳票は、四段目の一時保留部１６（ＲＣ４）に搬送されて保留される。四段目の一時保留部１６（ＲＣ４）に所定枚数分（この例ではホッパ１１に載置された帳票のほぼ半数に相当）の帳票が保留されると、仕分け制御部２０は、排出指令の入力待ち状態となる。イメージデータの読取りが終了した後続の帳票は、四段目の一時保留部１６（ＲＣ４）より上流側の三段目の一時保留部１６（ＲＣ３）に搬送されて保留される。そして、必要であれば、前述したような確認・修正作業が作業者によって行なわれる。作業者によって公金入力画面（図６参照）上の排出ボタン（Ｆ５）が選択されることにより、仕分け制御部２０に排出指令が入力される。
【００５６】
排出指令が入力されると、四段目の一時保留部１６（ＲＣ４）に保留されている帳票のうち、収納すべきポケット１８が存在する帳票は、そのポケット１８に搬送されて収納される。一方、四段目の一時保留部１６（ＲＣ４）に保留されている帳票のうち、収納すべきポケット１８が存在しない帳票（行先無し帳票）は、行先無し専用ポケット１８に搬送されて、収納される。
【００５７】
四段目の一時保留部１６（ＲＣ４）から帳票が排出されているときにおいて、帳票データ読取部１５によってイメージデータの読取りが終了した帳票は、四段目の一時保留部１６（ＲＣ４）より上流側の三段目の一時保留部１６（ＲＣ３）に搬送されて保留される。つまり、四段目の一時保留部１６（ＲＣ４）から帳票の排出動作と、三段目の一時保留部１６（ＲＣ３）への帳票の一時保留動作とが同時に行なわれる。このため、仕分処理時間を短縮できる。
【００５８】
ホッパ１１に残っている帳票の全てが三段目の一時保留部１６（ＲＣ３）に保留されると、仕分け制御部２０は排出指令の入力待ち状態となる。そして、必要であれば、前述したような確認・修正作業が作業者によって行なわれる。その後、作業者によって公金入力画面上の排出ボタン（Ｆ５）が選択されることにより、仕分け制御部２０に排出指令が入力される。
【００５９】
排出指令が入力されると、三段目の一時保留部１６（ＲＣ３）に保留されている帳票のうち、収納すべきポケット１８が存在する帳票は、そのポケット１８に搬送されて収納される。一方、三段目の一時保留部１６（ＲＣ３）に保留されている帳票のうち、収納すべきポケット１８が存在しない帳票（行先無し帳票）は、行先無し専用ポケット１８に搬送されて、収納される。
【００６０】
図９は、帳票仕分け処理装置２による帳票の一時保留・排出動作の第２変形例を説明するための模式図である。前述したように、実際には、一時保留部１６への帳票の一時保留動作と、当該一時保留部１６からの帳票の排出動作との間には時間間隔が存在するが、図９では、その時間間隔は省略されている。
また、説明の便宜上、ホッパ１１に載置された帳票を約半分に分けて、２つの一時保留部１６にほぼ半数ずつ一時保留させる場合について説明する。
【００６１】
この変形例では、イメージデータの読取りが終了した所定枚数分の帳票が一時保留部１６に保留された後に、これらの所定枚数分の帳票は他の一時保留部１６に移動させられる。それから、ポケット１８に仕分け収納される。
図１０Ａ、図１０Ｂを参照して、この理由について説明する。たとえば、ホッパ１１に載置された複数の帳票が、２つの一時保留部１６にほぼ半数ずつ保留された後、同じポケット１８に収納される場合を想定する。
【００６２】
図１０Ａに示すように、ホッパ１１上には、４枚の帳票Ａ，Ｂ，Ｃ，Ｄがその表面が上向きの状態で下から順に積み重ねられている。最初に、ホッパ１１から帳票Ｄ，ＣがＤ，Ｃの順に繰り出されて、三段目の一時保留部１６（ＲＣ３）に保留される。この後、三段目の一時保留部１６（ＲＣ３）に保留されている帳票Ｄ，ＣがＣ，Ｄの順に排出されて所定のポケット１８に収納されるとともに、ホッパ１１から残りの帳票Ｂ，ＡがＢ，Ａの順に繰り出されて、二段目の一時保留部１６（ＲＣ２）に保留される。この後に、二段目の一時保留部１６（ＲＣ２）に保留されている帳票Ｂ，ＡがＡ，Ｂの順に排出され、前記ポケット１８に収納される。
【００６３】
このように、帳票が１回の一時保留動作を経てポケット１８に排出される場合には、ホッパ１１から繰り出される帳票の順番と、一時保留部１６からポケット１８に排出される帳票の順番とが異なる。このため、ポケット１８には、図１０Ａに示すように、４枚の帳票Ａ〜Ｄが、下からＣ，Ｄ，Ａ，Ｂの順番で堆積される。つまり、ホッパ１１に載置されたときの帳票の順番（並び順）と、ポケット１８に収納された帳票の順番（並び順）とが一致しなくなる。
【００６４】
そこで、図１０Ｂに示すような搬送制御を行なうことにする。つまり、ホッパ１１から帳票Ｄ，ＣがＤ，Ｃの順に繰り出されて、三段目の一時保留部１６（ＲＣ３）に保留される。この後、三段目の一時保留部１６（ＲＣ３）に保留されている帳票Ｄ，ＣがＣ，Ｄの順に排出されて四段目の一時保留部１６（ＲＣ４）に保留されるとともに、ホッパ１１から残りの帳票Ｂ，ＡがＢ，Ａの順に繰り出されて、二段目の一時保留部１６（ＲＣ２）に保留される。
【００６５】
この後に、四段目の一時保留部１６（ＲＣ４）に保留されている帳票Ｄ，ＣがＤ，Ｃの順に排出されて所定のポケット１８に収納されるとともに、二段目の一時保留部１６（ＲＣ２）に保留されている帳票Ｂ，ＡがＡ，Ｂの順に排出されて三段目の一時保留部１６（ＲＣ３）に保留される。この後、三段目の一時保留部１６（ＲＣ３）に保留されている帳票Ｂ，ＡがＢ，Ａの順に排出されて前記ポケット１８に収納される。
【００６６】
このように帳票が二回の一時保留動作を経てポケット１８に排出される場合には、ホッパ１１から繰り出される帳票の順番と、一時保留部１６からポケット１８に排出される帳票の順番とが一致する。このため、ポケット１８には、図１０Ｂに示すように、４枚の帳票Ａ〜Ｄが、表面が下を向いた状態で、下からＤ，Ｃ，Ｂ，Ａの順に堆積される。つまり、ホッパ１１に載置されたときの帳票Ａ〜Ｄの順番(並び順)と、ポケット１８に収納された帳票の順番(並び順)が一致する。したがって、ポケット１８に堆積されている帳票の束を裏返せば、ホッパ１１に載置されたときの帳票の束と同じ状態となる。
【００６７】
また、ホッパ１１に載置された複数の帳票がその種別によって仕分け収納され、同じポケット１８に同じ種別の複数の帳票が収納される場合においても、このような搬送制御を行うと、同じポケット１８に収納された複数の帳票間の順番(並び順)は、ホッパ１１に載置されたときのそれらの帳票間の順番(並び順)と同じになる。
同じポケット１８に収納される複数の帳票の順番(並び順)を、ホッパ１１に載置されたときの帳票の順番(並び順)に一致させる目的で、一時保留部１６に一旦保留された帳票を、他の一時保留部１６に移動させることを整理動作という場合がある。
【００６８】
図９に戻り、帳票データ読取部１５の起動後において、イメージデータの読取りが終了した帳票は、二段目の一時保留部１６（ＲＣ２）に搬送されて保留される。二段目の一時保留部１６（ＲＣ２）に所定枚数分（この例ではホッパ１１に載置された帳票のほぼ半数に相当）の帳票が保留されると、二段目の一時保留部１６（ＲＣ２）から三段目の一時保留部１６（ＲＣ３）への帳票の移動（整理動作）が開始されるとともに、イメージデータの読取りが終了した帳票の一段目の一時保留部１６（ＲＣ１）への一時保留動作が開始される。つまり、三段目の一時保留部１６（ＲＣ３）への整理動作と、一段目の一時保留部１６（ＲＣ１）への帳票の一時保留動作とが同時に行なわれる。このため、仕分け処理時間を短縮できる。
【００６９】
二段目の一時保留部１６（ＲＣ２）から三段目の一時保留部１６（ＲＣ３）への帳票の移動が完了すると、つまり、二段目の一時保留部１６（ＲＣ２）内の全ての帳票が三段目の一時保留部１６（ＲＣ３）へ移動すると、仕分け制御部２０は排出指令の入力待ち状態となる。ただし、一段目の一時保留部１６（ＲＣ１）への一時保留動作は、ホッパ１１内の帳票の全てが一段目の一時保留部１６（ＲＣ１）に保留されるまでは継続される。
【００７０】
その後に、仕分け制御部２０に排出指令が入力されると、三段目の一時保留部１６（ＲＣ３）に保留されている帳票は、仕分け収納される。三段目の一時保留部１６（ＲＣ３）に保留されている帳票のうち、収納すべきポケット１８が存在する帳票は、そのポケット１８に搬送されて収納され、行先無し帳票は四段目の一時保留部１６（ＲＣ４）に保留される。
【００７１】
一方、ホッパ１１内の帳票の全てが一段目の一時保留部１６（ＲＣ１）に保留されると、一段目の一時保留部１６（ＲＣ１）から二段目の一時保留部１６（ＲＣ２）への帳票の移動（整理動作）が開始される。一段目の一時保留部１６（ＲＣ１）から二段目の一時保留部１６（ＲＣ２）への帳票の移動が完了すると、つまり、一段目の一時保留部１６（ＲＣ１）内の全ての帳票が二段目の一時保留部１６（ＲＣ２）へ移動すると、仕分け制御部２０は排出指令の入力待ち状態となる。
【００７２】
その後に、仕分け制御部２０に排出指令が入力されると、二段目の一時保留部１６（ＲＣ２）に保留されている帳票は、仕分け収納される。二段目の一時保留部１６（ＲＣ２）に保留されている帳票のうち、収納すべきポケット１８が存在する帳票は、そのポケット１８に搬送されて収納され、行先無し帳票は四段目の一時保留部１６（ＲＣ４）に保留される。
【００７３】
二段目の一時保留部１６（ＲＣ２）に保留されている帳票の全てが排出された後に、四段目の一時保留部１６（ＲＣ４）に保留されている行先無し帳票の仕分け処理が行われる。具体的には、まず、四段目の一時保留部１６（ＲＣ４）に保留されている帳票の種別が、いずれかのポケット１８に割り当てられるように、ポケットデータを変更する。次に、四段目の一時保留部１６（ＲＣ４）に保留されている帳票を三段目の一時保留部１６（ＲＣ３）に移動（整理動作）する。この後、三段目の一時保留部１６（ＲＣ３）に保留された帳票を、その種別に対応するポケット１８に収納する。
【００７４】
この変形例では、最初から収納すべきポケット１８が存在する帳票は、２回の一時保留動作を経てポケット１８に収納されるので、ポケット１８内での帳票の順番（並び順）をホッパ１１内の帳票の順番（並び順）に一致させることができる。一方、最初においては収納すべきポケット１８が存在しなかった帳票（行先無し帳票）は、４回の一時保留動作を経てポケット１８に収納される。このため、行先無し帳票についても、ポケット１８内での帳票の順番（並び順）をホッパ１１内の帳票の順番（並び順）に一致させることができる。
【００７５】
図１１は、帳票仕分け処理装置２による帳票の一時保留・排出動作の第３変形例を説明するための模式図である。前述したように、実際には、一時保留部１６への帳票の一時保留動作と、当該一時保留部１６からの帳票の排出動作との間には時間間隔が存在するが、図１１では、その時間間隔は省略されている。
また、説明の便宜上、ホッパ１１に載置された帳票を約１／３に分けて、３つの一時保留部１６にほぼ１／３枚ずつ一時保留させる場合について説明する。
【００７６】
帳票データ読取部１５の起動後において、イメージデータの読取りが終了した帳票は、三段目の一時保留部１６（ＲＣ３）に搬送されて保留される。三段目の一時保留部１６（ＲＣ３）に所定枚数分（この例ではホッパ１１に載置された帳票のほぼ１／３の枚数に相当）の帳票が保留されると、三段目の一時保留部１６（ＲＣ３）から四段目の一時保留部１６（ＲＣ４）への帳票の移動（整理動作）が開始されるとともに、イメージデータの読取りが終了した帳票の二段目の一時保留部１６（ＲＣ２）への一時保留動作が開始される。つまり、四段目の一時保留部１６（ＲＣ４）への整理動作と、二段目の一時保留部１６（ＲＣ２）への帳票の一時保留動作とが同時に行なわれる。このため、仕分け処理時間を短縮できる。
【００７７】
三段目の一時保留部１６（ＲＣ３）から四段目の一時保留部１６（ＲＣ４）への帳票の移動が完了すると、仕分け制御部２０は排出指令の入力待ち状態となる。ただし、二段目の一時保留部１６（ＲＣ２）への一時保留動作は、所定枚数（この例ではホッパ１１に載置された帳票のほぼ１／３の枚数に相当）分の帳票が二段目の一時保留部１６（ＲＣ２）に保留されるまで継続される。
【００７８】
その後に、仕分け制御部２０に排出指令が入力されると、四段目の一時保留部１６（ＲＣ４）に保留されている帳票が仕分け収納される。四段目の一時保留部１６（ＲＣ４）に保留されている帳票のうち、収納すべきポケット１８が存在する帳票は、そのポケット１８に搬送されて収納され、行先無し帳票は三段目の一時保留部１６（ＲＣ３）に保留される。そして、四段目の一時保留部１６（ＲＣ４）が空になると、三段目の一時保留部１６（ＲＣ３）に保留された行先無し帳票は、四段目の一時保留部１６（ＲＣ４）に保留される。
【００７９】
一方、二段目の一時保留部１６（ＲＣ２）に所定枚数分（この例ではホッパ１１に載置された帳票のほぼ１／３の枚数に相当）の帳票が保留されると、イメージデータの読取りが終了した帳票の一段目の一時保留部１６（ＲＣ１）への一時保留動作が開始される。二段目の一時保留部１６（ＲＣ２）に保留された所定枚数分の帳票は、三段目の一時保留部１６（ＲＣ３）が空になった後に、三段目の一時保留部１６（ＲＣ３）に移動（整理動作）される。
【００８０】
二段目の一時保留部１６（ＲＣ２）から三段目の一時保留部１６（ＲＣ３）への帳票の移動が完了すると、仕分け制御部２０は排出指令の入力待ち状態となる。ただし、一段目の一時保留部１６（ＲＣ１）への一時保留動作は、ホッパ１１に載置された残りの帳票の全てが一段目の一時保留部１６（ＲＣ１）に保留されるまでは継続される。
そして、仕分け制御部２０に排出指令が入力されると、三段目の一時保留部１６（ＲＣ３）に保留されている帳票が仕分け収納される。三段目の一時保留部１６（ＲＣ３）に保留されている帳票のうち、収納すべきポケット１８が存在する帳票は、そのポケット１８に搬送されて収納され、行先無し帳票は二段目の一時保留部１６（ＲＣ２）に保留される。そして、三段目の一時保留部１６（ＲＣ３）内の帳票が全て排出された後に、二段目の一時保留部１６（ＲＣ２）に保留された行先無し帳票は、四段目の一時保留部１６（ＲＣ４）に保留される。
【００８１】
一方、ホッパ１１に載置された残りの帳票の全てが一段目の一時保留部１６（ＲＣ１）に保留された後において、二段目の一時保留部１６（ＲＣ２）が空になると、一段目の一時保留部１６（ＲＣ１）に保留された帳票は二段目の一時保留部１６（ＲＣ２）に移動（整理動作）される。一段目の一時保留部１６（ＲＣ１）から二段目の一時保留部１６（ＲＣ２）への帳票の移動が完了すると、仕分け制御部２０は排出指令の入力待ち状態となる。
【００８２】
その後に、仕分け制御部２０に排出指令が入力されると、二段目の一時保留部１６（ＲＣ２）に保留されている帳票が仕分け収納される。二段目の一時保留部１６（ＲＣ２）に保留されている帳票のうち、収納すべきポケット１８が存在する帳票は、そのポケット１８に搬送されて収納され、行先無し帳票は一段目の一時保留部１６（ＲＣ１）に保留される。そして、二段目の一時保留部１６（ＲＣ２）内の帳票が全て排出された後に、一段目の一時保留部１６（ＲＣ１）に保留された行先無し帳票は、四段目の一時保留部１６（ＲＣ４）に保留される。
【００８３】
一段目の一時保留部１６（ＲＣ１）に保留された行先無し帳票の全てが四段目の一時保留部１６（ＲＣ４）に保留された後に、四段目の一時保留部１６（ＲＣ４）に保留されている行先無し帳票が仕分け処理される。具体的には、まず、四段目の一時保留部１６（ＲＣ４）に保留されている帳票の種別が、いずれかのポケット１８に割り当てられるように、ポケットデータを変更する。次に、四段目の一時保留部１６（ＲＣ４）に保留されている帳票を、その種別に対応するポケット１８に収納する。
【００８４】
この変形例では、最初から収納すべきポケット１８が存在する帳票は、２回の一時保留動作を経てポケット１８に収納されるので、ポケット１８内での帳票の順番（並び順）をホッパ１１内の帳票の順番（並び順）に一致させることができる。一方、最初においては収納すべきポケット１８が存在しなかった帳票（行先無し帳票）は、４回の一時保留動作を経てポケット１８に収納される。このため、行先無し帳票についても、ポケット１８内での帳票の順番（並び順）をホッパ１１内の帳票の順番（並び順）に一致させることができる。
【００８５】
また、この変形例では、三段目、二段目および一段目の一時保留部１６（ＲＣ３，ＲＣ２，ＲＣ１）に保留された帳票それぞれに含まれる行先無し帳票を、同じ一時保留部（四段目の一時保留部１６（ＲＣ４））に保留させることが可能となる。これにより、行先無し帳票を、仕分け収納するための制御が簡単となる。
次に、図１２を参照して、排出動作（整理含む）と一時保留動作を並行に行なわない場合の仕分け処理を、図１１に対する比較例として説明する。図１２は、ホッパ１１に載置された帳票を約１／３に分けて、３つの一時保留部１６にほぼ１／３枚ずつ一時保留させる場合の比較例を示している。
【００８６】
図１２の比較例では、帳票が所定枚数分ずつ四段目の一時保留部１６（ＲＣ４）、三段目の一時保留部１６（ＲＣ３）および二段目の一時保留部１６（ＲＣ２）に順次保留される。この後、四段目の一時保留部１６（ＲＣ４）に保留された所定枚数分の帳票が、一段目の一時保留部１６（ＲＣ１）に移動（整理動作）された後、仕分け収納される。この際、行先無し帳票は、四段目の一時保留部１６（ＲＣ４）に保留される。
【００８７】
次に、三段目の一時保留部１６（ＲＣ３）に保留された所定枚数分の帳票が、一段目の一時保留部１６（ＲＣ１）に移動（整理動作）された後、仕分け収納される。この際、行先無し帳票は、三段目の一時保留部１６（ＲＣ３）に保留される。
次に、二段目の一時保留部１６（ＲＣ２）に保留された所定枚数分の帳票が、一段目の一時保留部１６（ＲＣ１）に移動（整理動作）された後、仕分け収納される。この際、行先無し帳票は、二段目の一時保留部１６（ＲＣ２）に保留される。
【００８８】
その後に、行先無し帳票のポケット１８への仕分け排出が行われる。具体的には、四段目の一時保留部１６（ＲＣ４）に保留された行先無し帳票が、一段目の一時保留部１６（ＲＣ１）に移動（整理動作）された後、仕分け排出される。次に、三段目の一時保留部１６（ＲＣ３）に保留された行先無し帳票が、一段目の一時保留部１６（ＲＣ１）に移動（整理動作）された後、仕分け排出される。最後に、二段目の一時保留部１６（ＲＣ２）に保留された行先無し帳票が、一段目の一時保留部１６（ＲＣ１）に移動（整理動作）された後、仕分け排出される。
【００８９】
図１１と図１２とを比較すると、図１１に示される仕分け動作では、排出動作（整理動作を含む）を行ないながら一時保留動作を行なうといった並行動作が行なわれているのに対し、図１２に示される仕分け動作では、そのような並行動作は行なわれていない。このため、図１２に比べて、図１１の方が、仕分け処理時間が短くなる。
図１３は、帳票仕分け処理装置の変形例を示している。図１３において、図１の各部に対応するものには、図１と同じ参照符号を付してある。なお、図示されていないが、この帳票仕分け処理装置２Ａにも、図１に示される外部制御装置３が接続される。
【００９０】
図１３の帳票仕分け処理装置２Ａでは、主搬送路２００は、繰出ローラ１２から後方に向かって延びた下側水平部２０１と、下側水平部の後端部から上方に向かって延びかつ並列に配置された２つの後側垂直部２０２，２０３と、これらの後側垂直部（以下、「分流搬送路」という）２０２，２０３の上端から前方に向かって延びた上側水平部２０４と、上側水平部２０４の前端から下方に向かって延びた前側垂直部２０５とを含む。
【００９１】
分流搬送路２０２，２０３のうち、前側にある分流搬送路２０２の前側には、上下方向に間隔をおいて３つの一時保留部１６（ＲＣ１，ＲＣ２，ＲＣ３）が配置されている。これらの３つの一時保留部１６を、下から順に、前側一段目の一時保留部１６（ＲＣ１）、
前側二段目の一時保留部１６（ＲＣ２）、前側三段目の一時保留部１６（ＲＣ３）という場合がある。これらの各一時保留部１６（ＲＣ１，ＲＣ２，ＲＣ３）は、前側の分流搬送路２０２に、分岐搬送路２００Ａを介して接続されている。
【００９２】
一方、後側の分流搬送路２０３の後側には、上下方向に間隔をおいて３つの一時保留部１６（ＲＣ４，ＲＣ５，ＲＣ６）が配置されている。これらの３つの一時保留部１６を、下から順に、後側一段目の一時保留部１６（ＲＣ４）、後側二段目の一時保留部１６（ＲＣ５）、後側三段目の一時保留部１６（ＲＣ６）という場合がある。これらの各一時保留部１６（ＲＣ４，ＲＣ５，ＲＣ６）は、後側の分流搬送路２０３に、分岐搬送路２００Ａを介して接続されている。
【００９３】
なお、各ポケット１８は、それぞれ分岐搬送路２００Ｂを介して主搬送路２００の前側垂直部２０５に接続されている。主搬送路２００、分岐搬送路２００Ａ，２００Ｂによって搬送路が構成されている。
図１４は、帳票仕分け処理装置２Ａによる帳票の一時保留・排出動作を説明するための模式図である。前述したように、一時保留部１６に一時保留された帳票は、作業者によって排出指令が入力されることによって排出される。このため、実際には、一時保留部１６への帳票の一時保留動作と、当該一時保留部１６からの帳票の排出動作との間には時間間隔が存在するが、図１４では、その時間間隔は省略されている。
【００９４】
また、説明の便宜上、ホッパ１１に載置された帳票を約半分に分けて、２つの一時保留部１６にほぼ半数ずつ一時保留させる場合について説明する。
帳票データ読取部１５の起動後において、イメージデータの読取りが終了した帳票は、前側一段目の一時保留部１６（ＲＣ１）に搬送されて保留される。前側一段目の一時保留部１６（ＲＣ１）に所定枚数分（この例ではホッパ１１に載置された帳票のほぼ半数に相当）の帳票が保留されると、仕分け制御部２０は、排出指令の入力待ち状態となる。帳票データ読取部１５によってイメージデータの読取りが終了した後続の帳票は、後側一段目の一時保留部１６（ＲＣ４）に搬送されて保留される。
【００９５】
仕分け制御部２０に排出指令が入力されると、前側一段目の一時保留部１６（ＲＣ１）に保留されている帳票の排出が開始される。前側一段目の一時保留部１６（ＲＣ１）に保留されている帳票のうち、収納すべきポケット１８が存在する帳票は、そのポケット１８に搬送されて収納され、行先無し帳票は前側二段目の一時保留部１６（ＲＣ２）に保留される。
【００９６】
前側一段目の一時保留部１６（ＲＣ１）から帳票が排出されているときにおいて、帳票データ読取部１５によってイメージデータの読取りが終了した帳票は、後側一段目の一時保留部１６（ＲＣ４）に搬送されて保留される。つまり、前側一段目の一時保留部１６（ＲＣ１）から帳票の排出動作と、後側一段目の一時保留部１６（ＲＣ４）への帳票の一時保留動作とが同時に行なわれる。このため、仕分け処理時間を短縮できる。
【００９７】
ホッパ１１に残っている帳票の全てが後側一段目の一時保留部１６（ＲＣ４）に保留されると、仕分け制御部２０は、排出指令の入力待ち状態となる。その後、仕分け制御部２０に排出指令が入力されると、後側一段目の一時保留部１６（ＲＣ４）に保留されている帳票のうち、収納すべきポケット１８が存在する帳票は、そのポケット１８に搬送されて収納され、行先無し帳票は後側二段目の一時保留部１６（ＲＣ５）に一時保留される。
【００９８】
後側一段目の一時保留部１６（ＲＣ４）に一時保留されている帳票が全て排出された後に、前側二段目の一時保留部１６（ＲＣ２）および後側二段目の一時保留部１６（ＲＣ５）に一時保留されている行先無し帳票の仕分け処理が行われる。
図１５は、帳票仕分け処理装置２Ａによる帳票の一時保留・排出動作の第１変形例を説明するための模式図である。前述したように、実際には、一時保留部１６への帳票の一時保留動作と、当該一時保留部１６からの帳票の排出動作との間には時間間隔が存在するが、図１５では、その時間間隔は省略されている。
【００９９】
また、説明の便宜上、ホッパ１１に載置された帳票を約半分に分けて、２つの一時保留部１６にほぼ半数ずつ一時保留させる場合について説明する。
この変形例では、イメージデータの読取りが終了した所定枚数分の帳票が一時保留部１６に一時保留された後に、これらの所定枚数分の帳票は他の一時保留部１６に移動させられる。それから、ポケット１８に仕分け収納される。
【０１００】
帳票データ読取部１５の起動後において、イメージデータの読取りが終了した帳票は、前側一段目の一時保留部１６（ＲＣ１）に一時保留される。前側一段目の一時保留部１６（ＲＣ１）に所定枚数分（この例ではホッパ１１に載置された帳票のほぼ半数に相当）の帳票が保留されると、前側一段目の一時保留部１６（ＲＣ１）から前側二段目の一時保留部１６（ＲＣ２）への帳票の移動（整理動作）が開始されるとともに、イメージデータの読取りが終了した帳票の後側一段目の一時保留部１６（ＲＣ４）への一時保留動作が開始される。つまり、前側二段目の一時保留部１６（ＲＣ２）への整理動作と、後側一段目の一時保留部１６（ＲＣ４）への帳票の一時保留動作とが同時に行なわれる。このため、仕分け処理時間を短縮できる。
【０１０１】
前側一段目の一時保留部１６（ＲＣ１）から前側二段目の一時保留部１６（ＲＣ２）への帳票の移動が完了すると、仕分け制御部２０は排出指令の入力待ち状態となる。ただし、後側一段目の一時保留部１６（ＲＣ４）への一時保留動作は、ホッパ１１内の帳票の全てが後側一段目の一時保留部１６（ＲＣ４）に保留されるまでは継続される。
仕分け制御部２０に排出指令が入力されると、前側二段目の一時保留部１６（ＲＣ２）に保留されている帳票は、仕分け収納される。前側二段目の一時保留部１６（ＲＣ２）に保留されている帳票のうち、収納すべきポケット１８が存在する帳票は、そのポケット１８に搬送されて収納され、行先無し帳票は前側三段目の一時保留部１６（ＲＣ３）に保留される。
【０１０２】
一方、ホッパ１１内の帳票の全てが後側一段目の一時保留部１６（ＲＣ４）に保留されると、後側一段目の一時保留部１６（ＲＣ４）から後側二段目の一時保留部１６（ＲＣ５）への帳票の移動（整理動作）が開始される。後側一段目の一時保留部１６（ＲＣ４）から後側二段目の一時保留部１６（ＲＣ５）への帳票の移動が完了すると、仕分け制御部２０は排出指令の入力の入力待ち状態となる。
【０１０３】
仕分け制御部２０に排出指令が入力されると、後側二段目の一時保留部１６（ＲＣ５）に保留されている帳票は、仕分け収納される。後側二段目の一時保留部１６（ＲＣ５）に保留されている帳票のうち、収納すべきポケット１８が存在する帳票は、そのポケット１８に搬送されて収納され、行先無し帳票は後側三段目の一時保留部１６（ＲＣ６）に保留される。
【０１０４】
後側二段目の一時保留部１６（ＲＣ５）に保留された帳票が全て排出された後に、前側三段目の一時保留部１６（ＲＣ３）および後側三段目の一時保留部１６（ＲＣ６）に一時保留された行先無し帳票の仕分け処理が行われる。この行先無し帳票の仕分け処理については、図９と同様であるため説明を省略する。
この変形例では、最初から収納すべきポケット１８が存在する帳票は、２回の一時保留動作を経てポケット１８に収納されるので、ポケット１８内での帳票の順番（並び順）をホッパ１１内の帳票の順番（並び順）に一致させることができる。
【０１０５】
図１６は、帳票仕分け処理装置２Ａによる帳票の一時保留・排出動作の第２変形例を説明するための模式図である。前述したように、実際には、一時保留部１６への帳票の一時保留動作と、当該一時保留部１６からの帳票の排出動作との間には時間間隔が存在するが、図１６では、その時間間隔は省略されている。
また、説明の便宜上、ホッパ１１に載置された帳票を約１／３に分けて、３つの一時保留部１６にほぼ１／３枚ずつ一時保留させる場合について説明する。
【０１０６】
帳票データ読取部１５の起動後において、イメージデータの読取りが終了した帳票は、前側二段目の一時保留部１６（ＲＣ２）に搬送されて保留される。前側二段目の一時保留部１６（ＲＣ２）に所定枚数分（この例ではホッパ１１に載置された帳票のほぼ１／３の枚数に相当）の帳票が保留されると、前側二段目の一時保留部１６（ＲＣ２）から前側三段目の一時保留部１６（ＲＣ３）への帳票の移動（整理動作）が開始されるとともに、イメージデータの読取りが終了した帳票の後側二段目の一時保留部１６（ＲＣ５）への一時保留動作が開始される。つまり、前側三段目の一時保留部１６（ＲＣ３）への整理動作と、後側二段目の一時保留部１６（ＲＣ５）への帳票の一時保留動作とが同時に行なわれる。このため、仕分け処理時間を短縮できる。
【０１０７】
前側二段目の一時保留部１６（ＲＣ２）から前側三段目の一時保留部１６（ＲＣ３）への帳票の移動が完了すると、仕分け制御部２０は排出指令の入力待ち状態となる。ただし、後側二段目の一時保留部１６（ＲＣ５）への一時保留動作は、所定枚数（この例ではホッパ１１に載置された帳票のほぼ１／３の枚数に相当）分の帳票が後側二段目の一時保留部１６（ＲＣ５）に保留されるまでは継続される。
【０１０８】
仕分け制御部２０に排出指令が入力されると、前側三段目の一時保留部１６（ＲＣ３）に保留されている帳票が仕分け収納される。前側三段目の一時保留部１６（ＲＣ３）に保留されている帳票のうち、収納すべきポケット１８が存在する帳票は、そのポケット１８に搬送されて収納され、行先無し帳票は前側二段目の一時保留部１６（ＲＣ２）に保留される。そして、前側三段目の一時保留部１６（ＲＣ３）内の帳票が全て排出されると、前側二段目の一時保留部１６（ＲＣ２）に保留された行先無し帳票は、前側三段目の一時保留部１６（ＲＣ３）に保留される。
【０１０９】
一方、後側二段目の一時保留部１６（ＲＣ５）に所定枚数分（この例ではホッパ１１に載置された帳票のほぼ１／３の枚数に相当）の帳票が保留されると、後側二段目の一時保留部１６（ＲＣ５）から後側三段目の一時保留部１６（ＲＣ６）への帳票の移動（整理動作）が開始されるとともに、データの読取りが終了した帳票の前側一段目の一時保留部１６（ＲＣ１）への一時保留動作が開始される。
【０１１０】
後側二段目の一時保留部１６（ＲＣ５）から後側三段目の一時保留部１６（ＲＣ６）への帳票の移動が完了すると、仕分け制御部２０は排出指令の入力待ち状態となる。ただし、前側一段目の一時保留部１６（ＲＣ１）への一時保留動作は、ホッパ１１に載置された残りの帳票の全てが前側一段目の一時保留部１６（ＲＣ１）に保留されるまでは継続される。
【０１１１】
仕分け制御部２０に排出指令が入力されると、後側三段目の一時保留部１６（ＲＣ６）に保留されている帳票が仕分け収納される。後側三段目の一時保留部１６（ＲＣ６）に保留されている帳票のうち、収納すべきポケット１８が存在する帳票は、そのポケット１８に搬送されて収納され、行先無し帳票は後側二段目の一時保留部１６（ＲＣ５）に保留される。そして、後側三段目の一時保留部１６（ＲＣ６）内の帳票が全て排出された後に、後側二段目の一時保留部１６（ＲＣ５）に保留された行先無し帳票は、後側三段目の一時保留部１６（ＲＣ６）に保留される。
【０１１２】
一方、ホッパ１１に載置された残りの帳票の全てが前側一段目の一時保留部１６（ＲＣ１）に保留されると、前側一段目の一時保留部１６（ＲＣ１）に保留されている帳票は前側二段目の一時保留部１６（ＲＣ２）に移動（整理動作）される。前側一段目の一時保留部１６（ＲＣ１）から前側二段目の一時保留部１６（ＲＣ２）への帳票の移動が完了すると、仕分け制御部２０は排出指令の入力待ち状態となる。
【０１１３】
仕分け制御部２０に排出指令が入力されると、前側二段目の一時保留部１６（ＲＣ２）に保留されている帳票が仕分け収納される。前側二段目の一時保留部１６（ＲＣ２）に保留されている帳票のうち、収納すべきポケット１８が存在する帳票は、そのポケット１８に搬送されて収納され、行先無し帳票は前側一段目の一時保留部１６（ＲＣ１）に保留される。そして、前側二段目の一時保留部１６（ＲＣ２）内の帳票が全て排出された後に、前側一段目の一時保留部１６（ＲＣ１）に保留された行先無し帳票は、前側三段目の一時保留部１６（ＲＣ３）に保留される。
【０１１４】
前側一段目の一時保留部１６（ＲＣ１）に保留された行先無し帳票の全てが前側三段目の一時保留部１６（ＲＣ３）に保留された後に、前側三段目の一時保留部１６（ＲＣ３）および後側三段目の一時保留部１６（ＲＣ６）に保留されている行先無し帳票の仕分け処理が行われる。この行先無し帳票の仕分け処理については図１１と同様であるため説明を省略する。
【０１１５】
この変形例では、最初から収納すべきポケット１８が存在する帳票は、２回の一時保留動作を経てポケット１８に収納されるので、ポケット１８内での帳票の順番（並び順）をホッパ１１内の帳票の順番（並び順）に一致させることができる。一方、最初においては収納すべきポケット１８が存在しなかった帳票（行先無し帳票）は、４回の一時保留動作を経てポケット１８に収納される。このため、行先無し帳票についても、ポケット１８内での帳票の順番（並び順）をホッパ１１内の帳票の順番（並び順）に一致させることができる。
【０１１６】
上記実施形態では、仕分け処理対象の帳票が公共料金の納付書である例について説明したが、仕分け処理対象の帳票は、国税、社会保険料などの歳入金の納付書や有価証券など、それに含まれている情報を読み取って分類することが可能なものであればよい。
なお、上記実施形態では、ホッパ１１に載置された帳票の約半分または約１／３を所定枚数分の帳票としたがこれに限定されるわけではなく、外部制御装置３で予め設定された枚数を所定枚数としても良いし、一時保留部の最大収納枚数を所定枚数としても良い。
また、上記実施形態では、外部制御装置３が認識部３４と記憶部３５とを備えるものとしたがこれに限定されるわけではなく、これらを帳票仕分け処理装置２が備えるものとしても良い。
【０１１７】
その他、特許請求の範囲に記載された事項の範囲で種々の設計変更を施すことが可能である。
【符号の説明】
【０１１８】
１  帳票仕分け処理システム
２，２Ａ  帳票仕分け処理装置
３  外部制御装置
１３，２００  主搬送路
１３Ａ，１３Ｂ，２００Ａ，２００Ｂ  分岐搬送路
２０２  前側の後側垂直部
２０３  後側の後側垂直部
１５  帳票データ読取部
１６  一時保留部
１８  ポケット
２０  仕分け制御部
【図１】
2012056719.tif 000003
【図２】
2012056719.tif 000004
【図３】
2012056719.tif 000005
【図４】
2012056719.tif 000006
【図５】
2012056719.tif 000007
【図６】
2012056719.tif 000008
【図７】
2012056719.tif 000009
【図８】
2012056719.tif 000010
【図９】
2012056719.tif 000011
【図１０】
2012056719.tif 000012
【図１１】
2012056719.tif 000013
【図１２】
2012056719.tif 000014
【図１３】
2012056719.tif 000015
【図１４】
2012056719.tif 000016
【図１５】
2012056719.tif 000017
【図１６】
2012056719.tif 000018